(57)【要約】【課題】簡易な構造の目枕本体を用いて浴室内で目の疲れを癒すことができ、リラックス、リフレッシュ等の快適感を与えることができて眼精疲労の緩和と改善を図ることができると共に、使用しないときは浴室内で収納場所をとらず、収納性も良好な目枕装置を提供すること。【解決手段】内部に液体が充填される目枕本体２と、浴室壁１１に設置されて上記目枕本体２を収納する収納部材３とで構成された目枕装置１である。【選択図】図１
2008154876.tif 000002
【特許請求の範囲】
【請求項１】
浴室内に設けられる目枕装置であって、内部に液体が充填される目枕本体と、浴室壁に設置されて上記目枕本体を収納する収納部材とで構成したことを特徴とする目枕装置。
【請求項２】
上記目枕本体の表層の一部又は全体を硬質材で形成すると共に、上記収納部材に、目枕本体内部に液体を供給する給液手段と、目枕本体内部の液体を外部へ排出する排水手段とを設けたことを特徴とする請求項１記載の目枕装置。
【請求項３】
上記目枕本体を収納部材から着脱可能とすると共に、目枕本体に設けた給液用及び排水用の出入口内にそれぞれ逆止弁を設けたことを特徴とする請求項２記載の目枕装置。
【請求項４】
上記収納部材は、目枕本体の着脱状態を感知する感知センサーを備えていることを特徴とする請求項3記載の目枕装置。
【請求項５】
上記給液手段から冷水又は温水を選択的に供給するための制御部を設けたことを特徴とする請求項１乃至請求項４のいずれか一項に記載の目枕装置。
【請求項６】
上記制御部は、冷水供給モードと温水供給モードとを選択する操作部と、当該選択されたモードを表示する表示部とを備えることを特徴とする請求項５記載の目枕装置。 
【発明の詳細な説明】
【技術分野】
【０００１】
本発明は、浴室内に設置されて入浴者の目のリフレッシュ効果を得るために使用される目枕装置に関するものである。
【背景技術】
【０００２】
従来より、目のほてりや目の乾きが主要な原因となって生じる眼精疲労に対し目及び目の周囲を、侵害刺激にならない温度で冷却し、又は侵害刺激にならない温度の水蒸気で温熱することにより眼精疲労の緩和と改善を図り、入快眠を誘発するための目枕が知られている（例えば、特許文献１〜４参照）。
【０００３】
ところが、従来の目枕は、主に寝室などで使用されるものに限られており、例えば浴槽内で使用するものではなかった。仮りに浴室内で使用した場合には、目枕内部に水蒸気発生部が組み込まれているために防水構造とする必要があり、このため目枕の構造が複雑化するなどの問題もある。
【特許文献１】特開２００１−２４５９１５号公報
【特許文献２】特開２００１−１７００９６号公報
【特許文献３】特開２００４−７３６８８号公報
【特許文献４】特開２００２−６５７１４号公報
【発明の開示】
【発明が解決しようとする課題】
【０００４】
本発明は上記の従来の問題点に鑑みて発明したものであって、簡易な構造の目枕本体を用いて浴室内で目の疲れを癒すことができ、リラックス、リフレッシュ等の快適感を与えることができて眼精疲労の緩和と改善を図ることができると共に、使用しないときは浴室内で収納場所をとらず、収納性も良好な目枕装置を提供することを課題とするものである。
【課題を解決するための手段】
【０００５】
前記課題を解決するために本発明は、浴室１０内に設けられる目枕装置であって、内部に液体が充填される目枕本体２と、浴室壁１１に設置されて上記目枕本体２を収納する収納部材３とで構成したことを特徴としている。
【０００６】
このような構成とすることで、目枕本体２は内部に液体を充填しただけの簡易な構造であるため、従来のような目枕内部に水蒸気発生部を組み込んだ場合と比較して構造をシンプルにできるものでありながら、目枕本体２を入浴者の顔面に当てることで、目枕本体２の冷熱又は温熱によって目の疲れを癒すことができるようになり、また、使用しないときは目枕本体２を浴室壁１１に設置した収納部材３に収納できるようになる。
【０００７】
また、上記目枕本体２の表層２ａの一部又は全体を硬質材で形成すると共に、上記収納部材３に、目枕本体２内部に液体を供給する給液手段６と、目枕本体２内部の液体を外部へ排出する排水手段７とを設けるのが好ましく、この場合、収納部材３内での目枕本体２の納まりが良好となり、且つ収納部材３内部での給排水が可能となる。
【０００８】
また、上記目枕本体２を収納部材３から着脱可能とすると共に、目枕本体２に設けた給液用及び排水用の出入口内にそれぞれ逆止弁を設けるのが好ましく、この場合、目枕本体２を収納部材３から取り外して例えば浴槽内で使用できると共に、逆止弁の働きによって使用中の目枕本体２の密閉状態を容易に確保できるようになる。
【０００９】
また、上記収納部材３は、目枕本体２の着脱状態を感知する感知センサー８を備えているのが好ましく、この場合、感知センサー８によって収納部材３に対する目枕本体２の着脱状態を監視できるので、仮りに目枕本体２が収納部材３内に装着されていない状態で誤って給排水操作がされても給液手段６から液体が吐出してしまうのを防止できる。
【００１０】
また、上記給液手段６から冷水又は温水を選択的に供給するための制御部９を設けるのが好ましく、この場合、目枕本体２内部への冷水又は温水の自動供給が可能となる。
【００１１】
また、上記制御部９は、冷水供給モードと温水供給モードとを選択する操作部１２と、当該選択されたモードを表示する表示部１３とを備えるのが好ましく、この場合、操作部１２と表示部１３とによって、目枕本体２内部への冷水又は温水の供給をミスなく行なえるようになる。
【発明の効果】
【００１２】
本発明によれば、内部に液体を充填しただけの簡易な構造の目枕本体を用いて浴室内で目の疲れを癒すことができ、リラックス、リフレッシュ等の快適感を与えることができると共に、使用しないときは浴室内で収納場所をとらず、収納性も良好となる。
【発明を実施するための最良の形態】
【００１３】
以下、本発明を添付図面に示す実施形態に基いて説明する。
【００１４】
図１は本実施形態の浴室１０内に設けられる目枕装置１を示している。この目枕装置１は、内部に液体が充填される目枕本体２と、浴室壁１１に設置されて上記目枕本体２を収納する収納部材３とで構成されている。
【００１５】
上記目枕本体２は、全体が瓢箪形をした硬質製袋体で形成されている。ここでは、熱伝導性及び耐久性を考慮してステンレス製とされている。また、入浴者の目やその周囲に載せる顔面載置部２ｃの表面にはゴム製シート１５を貼りつけてある。ゴム製シート１５は薄肉状とされ、例えば軟質ジェルが埋め込まれており、熱伝導をあまり減少させずにフィット感が得られるようにしてある。なお顔面載置部２ｃに貼りつけられるのはゴム製シート１５に限らず、軟性を有する素材であればよい。また、目枕本体２の顔面載置部２ｃとなる部位を軟性を有する材質で形成し、顔面載置部２ｃ以外の他の部位を硬質材料で形成してもよいものである。
【００１６】
本例では、目枕本体２の顔面載置部２ｃ以外の硬質部分２ｂのうち、顔面載置部２ｃと反対側の背面側に給水用嵌め込み部４が設けられ、顔面載置部２ｃと隣接する一側面に排水用嵌め込み部５が設けられており、これら各嵌め込み部４，５が給排水の出入口となる。また本例では各嵌め込み部４，５内にそれぞれ逆止弁（図示せず）が設けられている。逆止弁としては、例えば開閉自在に密着した二枚のシートからなり、後述のように嵌め込み部４（５）を給水口１６（又は排水口１７）に嵌め込んだ状態で給水（排水）を行なうとその水圧で二枚のシートが開いて給排水可能となり、嵌め込み部４（５）を給水口１６（又は排水口１７）から引き抜いた状態では目枕本体２内部の内圧の作用で二枚のシートが密着することで逆止弁機能が発生するものである。勿論、逆止弁の構成は上記には限定されず、適宜設計変更自在である。
【００１７】
上記収納部材３は、浴槽近傍の浴室壁１１に固着された背板部２４と、背板部２４の下端から前方に突設されたトレイ部２３とで一体に構成されている。
【００１８】
背板部２４の上下方向の略中央部には、給水口１６が突設されている。給水口１６は浴室壁１１内から背板部２４後面に引き出された給液管６ａの先端に連通している。
【００１９】
一方、トレイ部２３の中央上面には、排水口１７が突設されている。排水口１７は浴室壁１１内からトレイ部２３内部に引き出された排水管７ａの先端に連通している。排水管７ａの途中には排水弁２５が設けられている。
【００２０】
トレイ部２３の前面部にはコントローラー２６が設置されている。コントローラー２６は、操作部１２と表示部１３と制御部９とを備えている。本例の操作部１２は、例えば図４に示すように、「冷水」ボタン２７、「温水」ボタン２８、「排水」ボタン２９を備えており、表示部１３は各ボタン２７〜２９に個別に対応する３つのランプ３０〜３２を備えている。
【００２１】
コントローラー２６の制御部９は、操作部１２からの操作指令に応じて冷水供給モード、温水供給モード、排水モードのいずれかを実行するマイクロコンピュータで構成される。冷水供給モード及び温水供給モードは、図３の給水管５１に設けた給水用バルブ２１、給湯管５０に設けた給湯用バルブ１９をそれぞれ開閉制御して温度調節された冷水又は温水を、給液管６ａの合流部５２を経て給水口１６から吐出させるものである。一方、排水モードは操作部１２からの操作指令及び目枕本体２を感知する感知センサー８からの信号に応じて、排水弁２５を開くと共に排水吸引用のポンプ１８を駆動させるものである。ここでは、図３の制御ボックス１４の内部に、上記制御部９、ポンプ１８、各バルブ１９，２１、各バルブ１９，２１を制御する電動制御バー２０，２２、給液管６ａの合流部５２等が内装されており、また制御部９は、電動制御バー２０，２２を個別に駆動制御する機能を有しており、電動制御バー２０，２２を介して各バルブ１９，２１を個別に開閉制御するものである。
【００２２】
次に、図5、図6を参照して目枕本体２の着脱動作の一例を説明する。
【００２３】
図５（ａ）は、目枕本体２が収納部材３内にセットされた状態であり、目枕本体２背面上部の給水用嵌め込み部４が給水口１６に嵌め込まれ、下部の排水用嵌め込み部５が排水口１７に嵌め込まれており、コントローラー２６によって「冷水」ボタン２７又は「温水」ボタン２８を選択して操作すると制御部９は電動制御バー２２，２０を介して各バルブ２１，１９を個別に開閉制御することで、温度調節された液体が給水口１６から目枕本体２内部に給水される。例えば「冷水」ボタン２７をワンプッシュすると制御部９は冷水供給モードを実行して当該モードに対応するランプ３０が点灯し、冷水が目枕本体２内部に充填される。一方、「温水」ボタン２８をワンプッシュすると制御部９は温水供給モードを実行して当該モードに対応するランプ３１が点灯し、温水が目枕本体２内部に充填される。充填が完了した状態（図５（ｂ））になると、選択したモードのランプ３０又は３１が点灯から点滅に変わる。使用者はランプ３０又は３１の点滅を確認したら、先ず図５（ｃ）の矢印の方向に目枕本体２の上部を手前に傾けて背面側の給水用嵌め込み部４を給水口１６から引き抜き、最後に図５（ｄ）の矢印の方向に目枕本体２を持ち上げて排水用嵌め込み部５をトレイ部２３の排水口１７から引き抜くことにより、目枕本体２を収納部材３から取り外して使用できる。
【００２４】
目枕本体２を使用した後は収納部材３内に戻す。このとき図６（ａ）→（ｂ）→（ｃ）のように、目枕本体２の排水用嵌め込み部５をトレイ部２３の排水口１７に嵌め込み、続いて、給水用嵌め込み部４を給水口１６に嵌め込む。この段階で、給水口１６側に配置した感知センサー８が目枕本体２の装着を感知すると、感知信号を制御部９に送る。制御部９は「排水」ボタン２９のランプ３２を点灯させる。使用者はランプ３２の点灯を確認してから、「排水」ボタン２９を押すと、制御部９は排水弁２５を開放すると共にポンプ１８を駆動させて自動排水を開始する。このとき図６（ｄ）の矢印のように目枕本体２内の水が排水口１７から吸引されて排水管７ａへ排水される。排水が完了するとランプ３２が消えて、運転が終了する。
【００２５】
しかして、上記構成の目枕本体２は、内部に液体を充填しただけの簡易な構造であるため、従来のような目枕内に水蒸気発生部を内蔵したものと比較して構造をシンプルにできるものでありながら、目枕本体２を入浴者の目やその周囲に載せることで、目枕本体２の冷熱或いは温熱によって目の疲れを癒すことができ、特に浴槽内につかりながら目枕本体２を使用することにより、血行促進に加えて、より一層のリラックス、リフレッシュ等の快適感を与えることができて、眼精疲労の緩和と改善を一層図ることができるものである。また、使用しないときは目枕本体２を浴室壁１１を利用して収納できるので、浴室１０内において収納場所をとらず、収納性も良好となる。
【００２６】
また本例では、目枕本体２の表層２ａ全体を硬質材で形成すると共に顔面載置部２ｃ以外の硬質部分２ｂに給水用嵌め込み部４及び排水用嵌め込み部５を設けるようにしたので、収納部材３内での目枕本体２の納まりが良好となり、且つ給排水口１６，１７に各嵌め込み部４，５の嵌め込み動作がスムーズに楽に行なえるようになる。また各嵌め込み部４，５内にそれぞれ逆止弁を設けたので、使用中には逆止弁の働きによって目枕本体２からの液漏れを容易に防止できる利点もある。
【００２７】
また本例の収納部材３は、目枕本体２の着脱状態を感知する感知センサー８を備えているので、感知センサー８によって収納部材３に対する目枕本体２の着脱状態を監視できるようになり、仮りに目枕本体２が収納部材３内に装着されていない状態で誤ってコントローラー２６のボタン操作がされても給液管６ａから液体が吐出してしまったりするのを防止でき、これにより使用の安全性及び節水を図ることができる。
【００２８】
さらに本例では、浴室の給湯・給水管から給水口１６から湯又は水を供給でき、また排水口１７から浴室の排水管に排水できるので、既存の浴室の給排水設備を利用できる利点があり、そのうえ制御部９による冷水又は温水の選択によって、目枕本体２内部への冷水又は温水を自動供給可能になると共に、コントローラー２６に設けた操作部１２と表示部１３とによって、目枕本体２内部への冷水又は温水の供給をミスなく行なえるという利点もある。
【００２９】
なお前記実施形態では、本目枕装置のコントローラー２６を浴槽設備に標準装備される操作器とは別体で構成したが、該コントローラー２６を浴槽設備に標準装備される操作器内部に組み込んで、操作器に「冷水」ボタン２７、「温水」ボタン２８等を設けて目枕本体２の冷水、温水の供給操作を行なうようにしてもよいものである。
【図面の簡単な説明】
【００３０】
【図１】本発明の一実施形態に用いる目枕装置を説明する側面断面図である。
【図２】同上の目枕本体の断面図である。
【図３】同上の制御部に関連する配管図である。
【図４】同上のコントローラーの操作部及び表示部の説明図である。
【図５】（ａ）〜（ｄ）は同上の目枕本体内部への液体の充填後に収納部材から取り外して使用するまでの一連の動作の説明図である。
【図６】（ａ）〜（ｄ）は同上の使用後の目枕本体を収納部材に取り付けた後に目枕本体内部の液体を外部に排出する一連の動作の説明図である。
【符号の説明】
【００３１】
１  目枕装置
２  目枕本体
２ａ  表層
２ｂ  硬質部分
３  収納部材
４  給水用嵌め込み部
５  排水用嵌め込み部
６  給液手段
７  排水手段
８  感知センサー
９  制御部
１０  浴室
１１  浴室壁
１２  操作部
１３  表示部
【図１】
2008154876.tif 000003
【図２】
2008154876.tif 000004
【図３】
2008154876.tif 000005
【図４】
2008154876.tif 000006
【図５】
2008154876.tif 000007
【図６】
2008154876.tif 000008